(57)【要約】【課題】印字面がラミネートフィルムで被覆されている場合であっても、情報を追記したり情報内容を変更できるようにする。【解決手段】ラミネートカード作成用台紙１を、カード用紙本体２，目止め層９，磁気記録帯３，保護層４，粘着層５，ラミネートフィルム６，擬似接着層７，および剥離台紙８を積層して形成する。カード用紙本体２の表面に印字した後、カード用紙本体２から保護層４までの一体品を、カード抜き用切込み１０から切出し、これを裏返して再度カード抜き用切込み１０内に挿入する。これにより、表面がラミネートフィルム６で被覆され、裏面に磁気記録帯３を有するラミネートカードが得られる。【選択図】　　　　図６
2004098527.tif 000002
【特許請求の範囲】
【請求項１】
裏面に磁気記録帯を有し、かつ表面にプリンタを用いて印字可能なカード用紙本体と；磁気記録帯の表面を含めたカード用紙本体の裏面に設けられ、粘着層に対する剥離性を有する保護層と；前記カード用紙本体の裏面側に粘着層を介して接着されたラミネートフィルムと；ラミネートフィルムの裏面側に擬似接着層を介し剥離可能に擬似接着された剥離台紙と；前記カード用紙本体から少なくとも前記ラミネートフィルムの位置まで切込まれるカード抜き用切込みと；を具備することを特徴とする磁気記録帯付きラミネートカード作成用台紙。
【請求項２】
カード用紙本体は、その表面に印字された状態で、カード抜き用切込みの内側部分が保護層とともに粘着層から剥離されるとともに、裏返した状態でカード抜き用切込みの内側部分に再接着され、さらにラミネートフィルムとともに擬似接着層から剥離されて、ラミネートカードとしてカード抜き用切込みから切出されることを特徴とする請求項１記載の磁気記録帯付きラミネートカード作成用台紙。
【請求項３】
保護層は、カード抜き用切込みよりも稍広い範囲までの領域に部分的に設けられ、かつ粘着層，ラミネートフィルム，擬似接着層および剥離台紙は、前記保護層の領域よりも稍広い範囲までの領域に部分的に設けられていることを特徴とする請求項１または２記載の磁気記録帯付きラミネートカード作成用台紙。
【請求項４】
剥離台紙および擬似接着層は、カード抜き用切込みの外側位置に、ラミネートカードを剥離台紙とともにカード抜き用切込みから切出すためのカード取出し用切込みを有し、かつカード用紙本体は、その裏面に前記カード取出し用切込みの位置を表示する表示部を有していることを特徴とする請求項３記載の磁気記録帯付きラミネートカード作成用台紙。
【請求項５】
カード用紙本体は、保護層との間に目止め層を有していることを特徴とする請求項１，２，３または４記載の磁気記録帯付きラミネートカード作成用台紙。
【請求項６】
粘着層またはラミネートフィルムのうちの少なくともいずれか一方は、紫外線吸収性能を有していることを特徴とする請求項１，２，３，４または５記載の磁気記録帯付きラミネートカード作成用台紙。
【発明の詳細な説明】
【０００１】
【発明の属する技術分野】
本発明は、ラミネートカード作成用台紙に係り、特に裏面に磁気記録帯を有するラミネートカード作成用台紙に関する。
【０００２】
【従来の技術】
従来から、カード表面に、プリンタを用いて所定の印字を施すとともに、印字後に、その表面をラミネートフィルムで被覆して、情報記録面としての印字面の耐久性、防汚性、および変造防止性を向上させるようにしたラミネートカードは、例えば特開平２−５７３９５号公報に示されているように、一般に知られている。
【０００３】
【発明が解決しようとする課題】
前記従来のラミネートカードにおいては、情報記録面がラミネートフィルムで被覆されているため、印字面やカード自体の耐久性には優れているが、情報記録面に、追記したりスタンプ等を押捺して来店回数等を記録することができないと云う問題がある。
【０００４】
また、ラミネートカードの発行側では、ラミネートカードの情報記録内容を確認するのに、常に人間が目視確認する必要があるため、ラミネートカードの発行側が、情報記録内容に基づき、その後の事務処理を行なう際に、目視確認した情報記録内容を、キーボード等を用いて再度機械に入力しなければならず、事務処理が容易でないと云う問題がある。
【０００５】
本発明は、かかる現況に鑑みなされたもので、印字後のカード表面をラミネートフィルムで被覆した場合であっても、情報を追記したり情報内容を変更することができ、またカードに記録されている情報記録内容を、人間を介さずにそのまま機械に読込ませることができる磁気記録帯付きラミネートカード作成用台紙を提供することを目的とする。
【０００６】
本発明の他の目的は、磁気記録帯の耐久性を向上させることができる磁気記録帯付きラミネートカード作成用台紙を提供するにある。
【０００７】
本発明の他の目的は、カード用紙本体の表面に、プリンタを用いて印字を施す際に、部分的に設けられている剥離台紙がプリンタに引掛かって、印字不良が発生するといった不具合が全くない磁気記録帯付きラミネートカード作成用台紙を提供するにある。
【０００８】
本発明の他の目的は、印字後の表面をラミネートフィルムで被覆したラミネートカードを、カード抜き用切込みから容易に切出すことができる磁気記録帯付きラミネートカード作成用台紙を提供するにある。
【０００９】
本発明の他の目的は、磁気記録帯に記録されている情報記録内容を、機械で読取る際に、読取エラーの発生を防止することができ、しかも磁気記録帯を含めたカード裏面の保護性能を向上させることができる磁気記録帯付きラミネートカード作成用台紙を提供するにある。
【００１０】
本発明のさらに他の目的は、ランニングコストが安いインクジェットプリンタを用いて印字を施した場合であっても、記録後に生じるカールやボコツキを防ぐことができ、また情報記録内容の紫外線による劣化を防止することができる磁気記録帯付きラミネートカード作成用台紙を提供するにある。
【００１１】
【課題を解決するための手段】
前記目的を達成するため本発明は、裏面に磁気記録帯を有し、かつ表面にプリンタを用いて印字可能なカード用紙本体と；磁気記録帯の表面を含めたカード用紙本体の裏面に設けられ、粘着層に対する剥離性を有する保護層と；前記カード用紙本体の裏面側に粘着層を介して接着されたラミネートフィルムと；ラミネートフィルムの裏面側に擬似接着層を介し剥離可能に擬似接着された剥離台紙と；前記カード用紙本体から少なくとも前記ラミネートフィルムの位置まで切込まれるカード抜き用切込みと；を設けるようにしたことを特徴とする。そして、カード用紙本体の裏面に磁気記録帯が設けられているので、印字後のカード表面をラミネートフィルムで被覆した場合であっても、磁気記録帯を用いて情報を追記したり情報内容を変更することが可能となり、またカードに記録されている情報記録内容を、人間を介さずにそのまま機械に読込ませることが可能となる。
【００１２】
本発明はまた、カード用紙本体におけるカード抜き用切込みの内側部分を、その表面に印字された状態で保護層とともに粘着層から剥離するとともに、裏返した状態でカード抜き用切込みの内側部分に再接着し、さらにラミネートフィルムとともに擬似接着層から剥離して、ラミネートカードとしてカード抜き用切込みから切出すようにしたことを特徴とする。そしてこれにより、印字面はラミネートフィルムにより被覆され、しかも磁気記録帯を有する裏面は、保護層により被覆されたラミネートカードが得られる。このため、磁気記録帯の耐久性を向上させることが可能となる。また、カード用紙本体として、インクジェット記録紙を用いた場合であっても、記録後に生じるカールやボコツキを防ぐことができ、磁気読取，書込装置に支障なく適用することができる。
【００１３】
本発明はまた、保護層を、カード抜き用切込みよりも稍広い範囲までの領域に部分的に設け、かつ粘着層，ラミネートフィルム，擬似接着層および剥離台紙を、前記保護層の領域よりも稍広い範囲までの領域に部分的に設けるようにしたことを特徴とする。そしてこれにより、カード用紙本体の裏面側に、ラミネートフィルム，擬似接着層および剥離台紙からなる積層体が部分的に設けられている状態となるが、この積層体の外周縁部は、粘着層を介しカード用紙本体に完全に接着されているので、カード用紙本体の表面に、プリンタを用いて印字を施す際に、部分的に設けられてる剥離台紙がプリンタに引掛かって、印字不良が発生すといった不具合が全くない。
【００１４】
本発明はまた、剥離台紙および擬似接着層におけるカード抜き用切込みの外側位置に、ラミネートカードを剥離台紙とともにカード抜き用切込みから切出すためのカード取出し用切込みを設け、かつカード用紙本体の裏面に、前記カード取出し用切込みの位置を表示する表示部を設けるようにしたことを特徴とする。そしてこれにより、表示部の位置に合わせて、まず剥離台紙および擬似接着層の端部を、ラミネートフィルムから剥離除去し、次いで、剥離台紙および擬似接着層の残部を、ラミネートフィルムから剥離させるようにすれば、剥離台紙の表面側に、擬似接着層を介し擬似接着された状態で、ラミネートカードがカード抜き用切込みから切出されることになる。このため、ラミネートカードを、カード抜き用切込みから容易に切出すことが可能となる。
【００１５】
本発明はまた、カード用紙本体と保護層との間に、目止め層を設けるようにしたことを特徴とする。ところで、保護層は、磁気記録帯の表面を含めたカード裏面の全域に設けられるこことになるが、磁気記録帯は、その表面に５μｍ程度以上の層が存在すると、データ読取り時にエラーが発生するおそれがある。このため、保護層は、シリコン等を塗布したり、極薄のＰＰフィルム等を接着剤を用いカード用紙本体に貼合わせて形成する必要があるが、いずれの場合も、シリコンや接着剤がカード用紙本体に染み込んでしまって、充分な剥離性能および保護性能が得られないおそれがある。ところが、目止め層を設けることで、このような不具合を防止することが可能となる
【００１６】
本発明はさらに、粘着層またはラミネートフィルムのうちの少なくともいずれか一方に、紫外線吸収性能を持たせるようにしたことを特徴とする。そしてこれにより、ランニングコストの安いインクジェットプリンタを用いて印字を施した場合であっても、情報記録内容の紫外線による劣化を防止することが可能となる。
【００１７】
【発明の実施の形態】
以下、本発明を図面を参照して説明する。
図１ないし図４は、本発明の実施の一形態に係る磁気記録帯付きラミネートカード作成用台紙を示すもので、このラミネートカード作成用台紙１は、裏面側に磁気記録帯３を有するカード用紙本体２と、磁気記録帯２の表面を含めたカード用紙本体２の裏面に設けられた保護層４と、保護層４の裏面側に配された粘着層５と、粘着層５の裏面側に配置され透視性を有するフィルム等からなるラミネートフィル６と、ラミネートフィルム６の裏面側に擬似接着層７を介して配置された剥離台紙８とを備えている。
【００１８】
前記カード用紙本体２は、例えば表面にインクジェットプリンタ（図示せず）を用いて印字可能なインクジェット紙で形成されており、その裏面全域には、例えばカオリン（クレー剤）とラテックスとを主体とするシリコン用目止め剤を用いて目止め層９が設けられ、磁気記録帯３は、この目止め層９の裏面側に配設されるようになっている。
【００１９】
また、前記保護層４は、例えばシリコンあるいはＵＶ硬化型シリコンを、１〜５μｍ程度の厚さで塗布または印刷することにより形成されており、この保護層４は、磁気記録帯３を含めたカード用紙本体２の裏面を保護する保護機能と、粘着層４に対する剥離機能とを有している。
【００２０】
また、前記粘着層５は、アクリル系，ゴム系等の公知の粘着剤で形成される。好ましくは、紫外線吸収性能を有する粘着剤で形成されており、この粘着層５を用いることにより、後に詳述するように、カード用紙本体２の表面に印字された情報記録内容を、紫外線による劣化から保護できるようになっている。なお、この種の粘着剤としては、例えばサンデン化学社製の「ＯＰＬ−１０」（商品名）がある。
【００２１】
また、前記ラミネートフィルム６は、ポリオレフィン系，ポリエステル系等の公知の透明フィルムで形成される。好ましくは、紫外線吸収性能を有する透明なＰＥＴフィルムで形成されており、このラミネートフィルム６を用いることにより、前記粘着層５と同様に、カード用紙本体２の表面に印字された情報記録内容を、紫外線による劣化から保護できるようになっている。なお、この種のラミネートフィルム６としては、例えばトチセン社製の「ルミラー＃２５Ｔ−ＵＶ」（商品名）がある。
【００２２】
このラミネートフィルム６と擬似接着層７とは、剥離可能に擬似接着されており、一方擬似接着層７と剥離台紙８とは、一体に接着されている。例えば、剥離台紙８は紙やフィルムが使用でき、擬似接着層７は、剥離台紙８とラミネートフィルム６との間にポリエチレン等の熱可塑性樹脂を押し出して形成される。
【００２３】
以上の構成を有するラミネートカード作成用台紙１には、図１ないし図４に示すように、前記カード用紙本体２からラミネートフィルム６の位置まで切込まれるカード抜き用切込み１０が、例えば二箇所に設けられており、これら各カード抜き用切込み１０の内側を切出すことにより、後に詳述するラミネートカード１１が得られるようになっている。
【００２４】
ところで、前記保護層４，粘着層５，ラミネートフィルム６，擬似接着層７および剥離台紙８は、カード用紙本体２の裏面側全域に設けられているわけではなく、前記各カード抜き用切込み１０の位置に合わせて部分的に設けられている。
【００２５】
すなわち、前記保護層４は、図１ないし図４に示すように、カード抜き用切込み１０よりも稍広い範囲までの領域に部分的に設けられており、一方、粘着層５，ラミネートフィルム６，擬似接着層７および剥離台紙８は、前記保護層４の領域よりも稍広い範囲までの領域に部分的に設けられている。そしてこれにより、ラミネートフィルム６，擬似接着層７および剥離台紙８からなる積層体は、その外周縁部が粘着層５を介して直接カード用紙本体２の裏面側（実際には目止め層９の裏面側）に強固に接着され、ラミネートカード作成用台紙１を、インクジェットプリンタに掛けて、カード用紙本体２の表面に印字を施す際に、剥離台紙８がインクジェットプリンタに引掛かって剥がれるのを完全に防止できるようになっている。
【００２６】
また、この剥離台紙８および擬似接着層７には、図２および図３に示すように、カード抜き用切込み１０の外側位置に、後述するラミネートカード１１を剥離台紙８とともにカード抜き用切込み１０から切出すためのカード取出し用切込み１２が設けられており、一方カード用紙本体２の裏面には、前記カード取出し用切込み１２の位置を表示するための表示部１３が設けられている。この表示部１３は、通常は目止め層９の上から印刷等により設けられるが、目止め層９を設ける前に、カード用紙本体２の裏面に直接設けるようにしてもよい。
【００２７】
なお、図１および図２において、符号１４は、印字後のラミネートカード作成用台紙１を、各カード抜き用切込み１０毎に分離するための断続切れ目であり、この断続切れ目１４から分離することにより、ラミネートカード１１の作成作業を容易に行なうことができるようになっている。
【００２８】
図５ないし図８は、ラミネートカード１１の作成方法を、作成手順に従って順次示すもので、以下これら各図を参照して、本実施の形態の作用を説明する。
【００２９】
ラミネートカード１１の作成に際しては、まず図１および図２に示すラミネートカード作成用台紙１を、インクジェットプリンタに掛け、カード用紙本体２表面におけるカード抜き用切込み１０の内側部分に、所定の印字を施す。そして、印字が終了したならば、各カード抜き用切込み１０毎に、ラミネートカード作成用台紙１を分離する。
【００３０】
次いで、図５に示すように、カード用紙本体２，目止め層９，磁気記録帯３および保護層４からなる一体品を、カード抜き用切込み１０内から切出す。この際、保護層４は、粘着層５に対する剥離性能を有しているので、前記一体品を容易にカード抜き用切込み１０内から切出すことができる。
【００３１】
次いで、図６に示すように、切出された一体品を裏返すとともに、裏返した状態で、再度カード抜き用切込み１０内に挿入する。この際、カード用紙本体２の表面は、粘着層５に対する剥離性能を全く有していないので、カード用紙本体２の表面に、粘着層５を介してラミネートフィルム６が完全に接着された状態となる。すなわち、カード用紙本体２の表面が、ラミネートフィルム６で被覆されて保護された状態となる。
【００３２】
次いで、図７に示すように、擬似接着層７および剥離台紙８の端部７ａ，８ａを、カード取出し用切込み１２を境にして、ラミネートフィルム６から剥離除去する。この際、剥離除去すべき端部７ａ，８ａの位置を、表示部１３により容易に目視確認できるので、端部７ａ，８ａの剥離除去が容易である。また、この端部７ａ，８ａの剥離除去により、擬似接着層７および剥離台紙８の残部とラミネートフィルム６との間には、図７に示すように、その厚さ分の段差１５が形成されることになるので、後述する前記残部のラミネートフィルム６からの剥離除去作業が容易となる。
【００３３】
次いで、図８に示すように、擬似接着層７および剥離台紙８の残部を、ラミネートフィルム６から剥離除去する。すると、カード抜き用切込み１０が、ラミネートフィルム６の位置まで切込まれているので、ラミネートカード１１が、剥離台紙８に擬似接着された状態で、カード抜き用切込み１０から切出されることになる。そこで、切出されたラミネートカード１１を、剥離台紙８から剥離して分離する。
【００３４】
しかして、作成されたラミネートカード１１は、カード用紙本体２の表面が、ラミネートフィルム６で被覆され、かつカード用紙本体２の裏面が、磁気記録帯３を含めて保護層４で被覆された状態となっているので、カードとしての耐久性および防汚性を向上させることができる。また、磁気記録帯３が設けられているので、情報の追記や変更が容易であるとともに、情報記録内容を、人間を介さずにそのまま機械に読込ませることができ、事務処理が極めて容易となる。
【００３５】
なお、前記実施の一形態においては、端部７ａ，８ａを剥離除去してから、擬似接着層７および剥離台紙８の残部をラミネートフィルム６から剥離除去する場合について説明したが、端部７ａ，８ａを剥離除去せずに、擬似接着層７および剥離台紙８の残部のみを、ラミネートフィルム６から剥離除去するようにしてもよい。そしてこの場合でも、カード取出し用切込み１２を設けた方が、擬似接着層７および剥離台紙８の残部の剥離性を向上させることができ、これは本発明者等の実験によっても確認されている。
【００３６】
また、前記実施の一形態においては、一枚のラミネートカード作成用台紙１から２枚のラミネートカード１１が作成される，いわゆる２個取りの場合を例に採って説明したが、１個取りの場合にも、２個以外の複数取りの場合にも同様に適用でき、同様の効果を得ることができる。
【００３７】
また、前記実施の一形態においては、カード抜き用切込み１０が、カード用紙本体２からラミネートフィルム６の位置まで切込まれている場合ついて説明したが、擬似接着層７の位置まで切込まれていてもよく、また途中位置までであれば、剥離台紙８の位置まで切込まれていてもよい。
【００３８】
また、前記実施の一形態においては、カード用紙本体２を、インクジェット紙で形成する場合について説明したが、レーザプリンタ用紙，ドットプリンタ用紙あるいは熱転写用紙等の記録用紙で形成するようにしてもよく、この場合にも同様の効果が期待できる。
【００３９】
また、前記実施の一形態においては、保護層４を、シリコンあるいはＵＶ硬化型シリコンを塗布して形成する場合について説明したが、印刷インキの上に塗って強度，滑り性を向上させるために用いられるＯＰニス，セロファンテープの剥離剤として用いられるピーロイル（長鎖アルキルペンダント型，アクリル系）、あるいはアルミテープの剥離剤として用いられるアシオレジン（ＰＶＡ系）等を塗布して保護層４を形成するようにしてもよく、またＰＥＴ，ＰＰ，ＰＥあるいはフッ素樹脂製等の３〜４μｍ厚の極薄フィルムを、接着剤（ウェットラミ）で接着して保護層４を形成するようにしてもよい。
【００４０】
また、目止め層９も、ＰＥ，ＰＥＴ，あるいはＰＰ等をラミネートしたり接着剤で接着して形成するようにしてもよい。また、この目止め層９は、必要に応じ省略するようにしてもよい。
【００４１】
【発明の効果】
以上説明したように本発明は、裏面に磁気記録帯を有し、かつ表面にプリンタを用いて印字可能なカード用紙本体と；磁気記録帯の表面を含めたカード用紙本体の裏面に設けられ、粘着層に対する剥離性を有する保護層と；前記カード用紙本体の裏面側に粘着層を介して接着されたラミネートフィルムと；ラミネートフィルムの裏面側に擬似接着層を介し剥離可能に擬似接着された剥離台紙と；前記カード用紙本体から少なくとも前記ラミネートフィルムの位置まで切込まれるカード抜き用切込みと；を設けようにしているので、カード用紙本体の裏面に磁気記録帯を設けることで、印字後のカード表面をラミネートフィルムで被覆した場合であっても、磁気記録帯を用いて情報を追記したり情報内容を変更することができ、またカードに記録されている情報記録内容を、人間を介さずにそのまま機械に読込ませることができる。
【００４２】
本発明はまた、カード用紙本体におけるカード抜き用切込みの内側部分を、その表面に印字された状態で保護層とともに粘着層から剥離するとともに、裏返した状態でカード抜き用切込みの内側部分に再接着し、さらにラミネートフィルムとともに擬似接着層から剥離して、ラミネートカードとしてカード抜き用切込みから切出すようにしているので、印字面はラミネートフィルムにより被覆され、しかも磁気記録帯を有する裏面は、保護層により被覆されたラミネートカードが得られる。このため、磁気記録帯の耐久性を向上させることができる。また、カード用紙本体として、インクジェット記録紙を用いた場合であっても、記録後に生じるカールやボコツキを防ぐことができ、磁気読取，書込装置に支障なく適用することができる。
【００４３】
本発明はまた、保護層を、カード抜き用切込みよりも稍広い範囲までの領域に部分的に設け、かつ粘着層，ラミネートフィルム，擬似接着層および剥離台紙を、前記保護層の領域よりも稍広い範囲までの領域に部分的に設けるようにしているので、カード用紙本体の裏面側に、ラミネートフィルム，擬似接着層および剥離台紙からなる積層体が部分的に設けられている状態となるが、この積層体の外周縁部は、粘着層を介しカード用紙本体に完全に接着されることになり、カード用紙本体の表面に、プリンタを用いて印字を施す際に、部分的に設けられてる剥離台紙がプリンタに引掛かって、印字不良が発生すといった不具合が全くない。
【００４４】
本発明はまた、剥離台および擬似接着層における、カード抜き用切込みの外側位置に、ラミネートカードを剥離台紙とともにカード抜き用切込みから切出すためのカード取出し用切込みを設け、かつカード用紙本体の裏面に、前記カード取出し用切込みの位置を表示する表示部を設けるようにしているので、表示部の位置に合わせて、まず剥離台紙および擬似接着層の端部を、ラミネートフィルムから剥離除去し、次いで、剥離台紙および擬似接着層の残部を、ラミネートフィルムから剥離させるようにすれば、剥離台紙の表面側に、擬似接着層を介し擬似接着された状態で、ラミネートカードがカード抜き用切込みから切出されることになる。このため、ラミネートカードを、カード抜き用切込みから容易に切出すことができる。
【００４５】
本発明はまた、カード用紙本体と保護層との間に、目止め層を設けるようにしたことを特徴とする。ところで、保護層は、磁気記録帯の表面を含めたカード裏面の全域に設けられるこことになるが、磁気記録帯は、その表面に５μｍ程度以上の層が存在すると、データ読取り時にエラーが発生するおそれがある。このため、保護層は、シリコン等を塗布したり、極薄のＰＰフィルム等を接着剤を用いカード用紙本体に貼合わせて形成する必要があるが、いずれの場合も、シリコンや接着剤がカード用紙本体に染み込んでしまって、充分な剥離性能および保護性能が得られないおそれがある。ところが、目止め層を設けることで、このような不具合を防止することができる。
【００４６】
本発明はさらに、粘着層またはラミネートフィルムのうちの少なくともいずれか一方に、紫外線吸収性能を持たせるようにしているので、ランニングコストの安いインクジェットプリンタを用いて印字を施した場合であっても、情報記録内容の紫外線による劣化を防止することができる。
【図面の簡単な説明】
【図１】本発明の実施の一形態に係るラミネートカード作成用台紙を表面側から見た構成図である。
【図２】図１のラミネートカード作成用台紙を裏面側から見た構成図である。
【図３】図１のＩＩＩ−ＩＩＩ線拡大断面図である。
【図４】図３のＩＶ−ＩＶ線断面図である。
【図５】カード用紙本体、目止め層，磁気記録帯および保護層からなる一体品を、カード抜き用切込みから切出した状態を示す説明図である。
【図６】切出した一体品を、裏返して再度カード抜き用切込み内に挿入した状態を示す説明図である。
【図７】擬似接着層および剥離台紙の端部を、カード取り出し用切込みを境にしてラミネートフィルムから剥離除去した状態を示す説明図である。
【図８】ラミネートカードを、剥離台紙とともにカード抜き用切込みから切出した状態を示す説明図である。
【符号の説明】
１　ラミネートカード作成用台紙
２　カード用紙本体
３　磁気記録帯
４　保護層
５　粘着層
６　ラミネートフィルム
７　擬似接着層
７ａ，８ａ　端部
８　剥離台紙
９　目止め層
１０　カード抜き用切込み
１１　ラミネートカード
１２　カード取出し用切込み
１３　表示部
【図１】
2004098527.tif 000003
【図２】
2004098527.tif 000004
【図３】
2004098527.tif 000005
【図４】
2004098527.tif 000006
【図５】
2004098527.tif 000007
【図６】
2004098527.tif 000008
【図７】
2004098527.tif 000009
【図８】
2004098527.tif 000010